(57)【特許請求の範囲】
【請求項１】
送信側が送信した既知シンボルを判定するシンボル判定手段と、
前記シンボル判定手段での判定の誤差を算出する算出手段と、
前記シンボル判定手段によって判定された既知シンボルの中から前記算出手段によって算出された誤差が所定値以下のものを選択する選択手段と、
前記選択手段によって選択された既知シンボルと、送信側が使用する可能性のある複数の変調方式のそれぞれに対応する所定の既知シンボル系列とを照合する照合手段と、
前記照合手段での照合結果に応じて送信側が使用する変調方式を判定する変調方式判定手段と、
を具備することを特徴とする無線受信装置。
【請求項２】
前記シンボル判定手段は、受信既知シンボルの直交座標上における位置から、送信側が送信した既知シンボルを判定し、
前記算出手段は、直交座標上において、受信既知シンボルの位置と前記シンボル判定手段によって判定された既知シンボルの位置との距離を算出し、
前記選択手段は、前記シンボル判定手段によって判定された既知シンボルの中から前記算出手段によって算出された距離が所定値以下のものを選択する、
ことを特徴とする請求項１に記載の無線受信装置。
【請求項３】
送信側が送信した既知シンボルを判定するシンボル判定手段と、
前記シンボル判定手段での判定の誤差を算出する算出手段と、
前記シンボル判定手段によって判定された既知シンボルと、送信側が使用する可能性のある複数の変調方式のそれぞれに対応する所定の既知シンボル系列とを、前記算出手段によって算出された誤差の小さい順に照合する照合手段と、
前記照合手段での照合結果に応じて送信側が使用する変調方式を判定する変調方式判定手段と、
を具備することを特徴とする無線受信装置。
【請求項４】
前記シンボル判定手段は、受信既知シンボルの直交座標上における位置から、送信側が送信した既知シンボルを判定し、
前記算出手段は、直交座標上において、受信既知シンボルの位置と前記シンボル判定手段によって判定された既知シンボルの位置との距離を算出し、
前記照合手段は、前記算出手段によって算出された距離が短い順に照合する、
ことを特徴とする請求項３に記載の無線受信装置。
【請求項５】
前記変調方式判定手段は、前記照合手段での照合において一致するシンボルの数が最も多い既知シンボル系列に対応する変調方式を送信側が使用する変調方式として判定する、
ことを特徴とする請求項１または請求項３に記載の無線受信装置。
【請求項６】
送信側が使用する変調方式に対応する位相回転量で位相回転をかけた既知シンボルを、送信側が使用する可能性のある複数の変調方式のそれぞれに対応する位相回転量で送信側での回転方向と逆方向に位相回転させる逆回転手段を、
さらに具備することを特徴とする請求項１または請求項３に記載の無線受信装置。
【請求項７】
符号化方式を示すシンボル系列に含まれるシンボルの尤度を算出する尤度算出手段と、
前記シンボル系列に含まれるシンボルと、送信側が使用する可能性のある複数の符号化方式のそれぞれに対応する所定の既知シンボル系列とを、前記尤度算出手段によって算出された尤度の高い順に照合する照合手段と、
前記照合手段での照合結果に応じて送信側が使用する符号化方式を判定する符号化方式判定手段と、
を具備することを特徴とする無線受信装置。
【請求項８】
前記符号化方式判定手段は、前記照合手段での照合において一致するシンボルの数が最も多い既知シンボル系列に対応する符号化方式を送信側が使用する符号化方式として判定する、
ことを特徴とする請求項７に記載の無線受信装置。
【請求項９】
送信側が送信した既知シンボルを判定するシンボル判定手段と、
前記シンボル判定手段での判定の誤差を算出する誤差算出手段と、
をさらに具備し、
前記尤度算出手段は、前記誤差算出手段によって算出された誤差を尤度とする、
ことを特徴とする請求項７に記載の無線受信装置。
【請求項１０】
前記尤度算出手段は、
受信シンボルに対する等化処理中に得られる値を尤度とする、
ことを特徴とする請求項７に記載の無線受信装置。
【請求項１１】
請求項１から請求項１０のいずれかに記載の無線受信装置を搭載することを特徴とする通信端末装置。
【請求項１２】
送信側が送信した既知シンボルを判定するシンボル判定工程と、
前記シンボル判定工程での判定の誤差を算出する算出工程と、
前記シンボル判定工程で判定した既知シンボルの中から前記算出工程で算出した誤差が所定値以下のものを選択する選択工程と、
前記選択工程で選択した既知シンボルと、送信側が使用する可能性のある複数の変調方式のそれぞれに対応する所定の既知シンボル系列とを照合する照合工程と、
前記照合工程での照合結果に応じて送信側が使用する変調方式を判定する変調方式判定工程と、
を具備することを特徴とする変調方式判定方法。
【請求項１３】
送信側が送信した既知シンボルを判定するシンボル判定工程と、
前記シンボル判定工程での判定の誤差を算出する算出工程と、
前記シンボル判定工程で判定した既知シンボルと、送信側が使用する可能性のある複数の変調方式のそれぞれに対応する所定の既知シンボル系列とを、前記算出工程で算出した誤差の小さい順に照合する照合工程と、
前記照合工程での照合結果に応じて送信側が使用する変調方式を判定する変調方式判定工程と、
を具備することを特徴とする変調方式判定方法。
【請求項１４】
符号化方式を示すシンボル系列に含まれるシンボルの尤度を算出する尤度算出工程と、
前記シンボル系列に含まれるシンボルと、送信側が使用する可能性のある複数の符号化方式のそれぞれに対応する所定の既知シンボル系列とを、前記尤度算出工程で算出した尤度の高い順に照合する照合工程と、
前記照合工程での照合結果に応じて送信側が使用する符号化方式を判定する符号化方式判定工程と、
を具備することを特徴とする符号化方式判定方法。
【発明の詳細な説明】
【０００１】
【発明の属する技術分野】
本発明は、無線受信装置、変調方式判定方法および符号化方式判定方法に関する。
【０００２】
【従来の技術】
現在ヨーロッパを中心として使用されている移動体通信の規格にＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）がある。最近、このＧＳＭに続く新しい規格であるＥＤＧＥ（Ｅｎｈａｎｃｅｄ  Ｄａｔａ  ｒａｔｅ  ｆｏｒ  ＧＳＭ  Ｅｖｏｌｕｔｉｏｎ）についての技術的提案が盛んに行われている。ＥＤＧＥにおいては、移動局の受信性能に応じてデータの伝送レートが変化するチャネルが存在する。伝送レートの変更は、変調方式を切り替えることと、符号化（コーディング）方式を切り替えることにより行われる。
【０００３】
この際、変調方式に関しては、使用される変調方式に関する情報が基地局から移動局に一切送られないため、移動局側で何らかの方法により変調方式を判定しなければならない。変調方式の判定方法としては、たとえば“ＥＤＧＥ：  Ｂｌｉｎｄ  Ｄｅｔｅｃｔｉｏｎ  ｏｆ  ｍｏｄｕｌａｔｉｏｎ  ｒｅｕｓｉｎｇ  ＧＳＭ  ｔｒａｉｎｉｎｇ  ｓｅｑｕｅｎｃｅｓ  ｆｏｒ  ８−ＰＳＫ（ＥＴＳＩ  ＳＭＧ２  Ｗｏｒｋｉｎｇ  Ｓｅｓｓｉｏｎ  ｏｎ  ＥＤＧＥ）”がある。
【０００４】
一方、符号化方式に関しては、使用される符号化方式に関する情報が基地局から移動局に送られるため、移動局は、その情報から符号化方式を判定することができる。ＥＤＧＥにおいては、１スロット内で２シンボルの情報が送られ、４スロット（すなわち、８シンボル）分の情報を用いて符号化方式を判定することができる。
【０００５】
これら変調方式および符号化方式の判定を誤ると、受信データの復調および復号ができなくなり正常な通信を行うことが不可能となる。このため、これらの判定には非常に高い精度が要求される。
【０００６】
【発明が解決しようとする課題】
しかしながら、従来の判定方法では、良好な伝搬環境の下でデータが伝送されることを想定しており、移動体通信において避けられない、遅延波、ノイズおよびフェージング変動等から受ける影響が考慮されていないため、劣悪な伝搬環境の下では、変調方式および符号化方式の判定を誤ってしまう可能性が高くなる。
【０００７】
本発明はかかる点に鑑みてなされたものであり、変調方式の判定精度および符号化方式の判定精度を向上させることができる無線受信装置、変調方式判定方法および符号化方式判定方法を提供することを目的とする。
【０００８】
【課題を解決するための手段】
本発明の無線受信装置は、送信側が送信した既知シンボルを判定するシンボル判定手段と、前記シンボル判定手段での判定の誤差を算出する算出手段と、前記シンボル判定手段によって判定された既知シンボルの中から前記算出手段によって算出された誤差が所定値以下のものを選択する選択手段と、前記選択手段によって選択された既知シンボルと、送信側が使用する可能性のある複数の変調方式のそれぞれに対応する所定の既知シンボル系列とを照合する照合手段と、前記照合手段での照合結果に応じて送信側が使用する変調方式を判定する変調方式判定手段と、を具備する構成を採る。
【０００９】
この構成によれば、シンボルに対する判定の誤差が所定値以下のシンボルだけを使用して変調方式を判定するため、変調方式の判定精度を向上させることができる。
【００１０】
本発明の無線受信装置は、上記の構成において、前記シンボル判定手段が、受信既知シンボルの直交座標上における位置から、送信側が送信した既知シンボルを判定し、前記算出手段が、直交座標上において、受信既知シンボルの位置と前記シンボル判定手段によって判定された既知シンボルの位置との距離を算出し、前記選択手段が、前記シンボル判定手段によって判定された既知シンボルの中から前記算出手段によって算出された距離が所定値以下のものを選択する構成を採る。
【００１１】
この構成によれば、シンボルに対する判定の誤差として直交座標上における距離を算出するため、シンボルに対する判定の誤差を簡易な方法で正確に算出することができる。
【００１２】
本発明の無線受信装置は、送信側が送信した既知シンボルを判定するシンボル判定手段と、前記シンボル判定手段での判定の誤差を算出する算出手段と、前記シンボル判定手段によって判定された既知シンボルと、送信側が使用する可能性のある複数の変調方式のそれぞれに対応する所定の既知シンボル系列とを、前記算出手段によって算出された誤差の小さい順に照合する照合手段と、前記照合手段での照合結果に応じて送信側が使用する変調方式を判定する変調方式判定手段と、を具備する構成を採る。
【００１３】
この構成によれば、シンボルに対する判定の誤差が小さいシンボルから順に変調方式の判定に使用するため、変調方式の判定精度を向上させることができる。
【００１４】
本発明の無線受信装置は、上記の構成において、前記シンボル判定手段が、受信既知シンボルの直交座標上における位置から、送信側が送信した既知シンボルを判定し、前記算出手段が、直交座標上において、受信既知シンボルの位置と前記シンボル判定手段によって判定された既知シンボルの位置との距離を算出し、前記照合手段が、前記算出手段によって算出された距離が短い順に照合する構成を採る。
【００１５】
この構成によれば、シンボルに対する判定の誤差として直交座標上における距離を算出するため、シンボルに対する判定の誤差を簡易な方法で正確に算出することができる。
【００１６】
本発明の無線受信装置は、上記の構成において、前記変調方式判定手段が、前記照合手段での照合において一致するシンボルの数が最も多い既知シンボル系列に対応する変調方式を送信側が使用する変調方式として判定する構成を採る。
【００１７】
この構成によれば、一致するシンボルの数に応じて変調方式を判定するため、変調方式を正確に判定することができる。
【００１８】
本発明の無線受信装置は、上記の構成において、送信側が使用する変調方式に対応する位相回転量で位相回転をかけた既知シンボルを、送信側が使用する可能性のある複数の変調方式のそれぞれに対応する位相回転量で送信側での回転方向と逆方向に位相回転させる逆回転手段を、さらに具備する構成を採る。
【００１９】
この構成によれば、位相回転量と既知シンボルのマッピングとに基づいて変調方式を判定する判定方法、たとえば“ＥＤＧＥ：  Ｂｌｉｎｄ  Ｄｅｔｅｃｔｉｏｎ  ｏｆ  ｍｏｄｕｌａｔｉｏｎ  ｒｅｕｓｉｎｇ  ＧＳＭ  ｔｒａｉｎｉｎｇ  ｓｅｑｕｅｎｃｅｓ  ｆｏｒ  ８−ＰＳＫ（ＥＴＳＩ  ＳＭＧ２  Ｗｏｒｋｉｎｇ  Ｓｅｓｓｉｏｎ  ｏｎ  ＥＤＧＥ）”においても、上記同様の作用および効果を得ることができる。
【００２０】
本発明の無線受信装置は、符号化方式を示すシンボル系列に含まれるシンボルの尤度を算出する尤度算出手段と、前記シンボル系列に含まれるシンボルと、送信側が使用する可能性のある複数の符号化方式のそれぞれに対応する所定の既知シンボル系列とを、前記尤度算出手段によって算出された尤度の高い順に照合する照合手段と、前記照合手段での照合結果に応じて送信側が使用する符号化方式を判定する符号化方式判定手段と、を具備する構成を採る。
【００２１】
この構成によれば、尤度（確からしさ）が高いシンボルから順に符号化方式の判定に使用するため、符号化方式の判定精度を向上させることができる。
【００２２】
本発明の無線受信装置は、上記の構成において、前記符号化方式判定手段が、前記照合手段での照合において一致するシンボルの数が最も多い既知シンボル系列に対応する符号化方式を送信側が使用する符号化方式として判定する構成を採る。
【００２３】
この構成によれば、一致するシンボルの数に応じて符号化方式を判定するため、推定精度の高い符号化方式を判定することができる。
【００２４】
本発明の無線受信装置は、上記の構成において、送信側が送信した既知シンボルを判定するシンボル判定手段と、前記シンボル判定手段での判定の誤差を算出する誤差算出手段と、をさらに具備し、前記尤度算出手段が、前記誤差算出手段によって算出された誤差を尤度とする構成を採る。
【００２５】
この構成によれば、各シンボルに対する判定の誤差を用いて符号化方式を判定するため、推定精度の高い符号化方式を判定することができる。
【００２６】
本発明の無線受信装置は、上記の構成において、前記尤度算出手段が、受信シンボルに対する等化処理中に得られる値を尤度とする構成を採る。
【００２７】
この構成によれば、推定精度を高く保ったまま、かつ、従来から行われている等化処理の出力を利用するので、尤度の算出に要する演算量を増加させずに符号化方式の判定精度を向上させることができる。
【００２８】
本発明の通信端末装置は、前記いずれかの無線受信装置を搭載する構成を採る。
【００２９】
この構成によれば、上記同様の作用および効果を有する通信端末装置を提供することができ、通信端末装置の受信性能を向上させることができる。
【００３０】
本発明の変調方式判定方法は、送信側が送信した既知シンボルを判定するシンボル判定工程と、前記シンボル判定工程での判定の誤差を算出する算出工程と、前記シンボル判定工程で判定した既知シンボルの中から前記算出工程で算出した誤差が所定値以下のものを選択する選択工程と、前記選択工程で選択した既知シンボルと、送信側が使用する可能性のある複数の変調方式のそれぞれに対応する所定の既知シンボル系列とを照合する照合工程と、前記照合工程での照合結果に応じて送信側が使用する変調方式を判定する変調方式判定工程と、を具備するようにした。
【００３１】
この方法によれば、シンボル対する判定の誤差が所定値以下のシンボルだけを使用して変調方式を判定するため、変調方式の判定精度を向上させることができる。
【００３２】
本発明の変調方式判定方法は、送信側が送信した既知シンボルを判定するシンボル判定工程と、前記シンボル判定工程での判定の誤差を算出する算出工程と、前記シンボル判定工程で判定した既知シンボルと、送信側が使用する可能性のある複数の変調方式のそれぞれに対応する所定の既知シンボル系列とを、前記算出工程で算出した誤差の小さい順に照合する照合工程と、前記照合工程での照合結果に応じて送信側が使用する変調方式を判定する変調方式判定工程と、を具備するようにした。
【００３３】
この方法によれば、シンボル対する判定の誤差が小さいシンボルから順に変調方式の判定に使用するため、変調方式の判定精度を向上させることができる。
【００３４】
本発明の符号化方式判定方法は、符号化方式を示すシンボル系列に含まれるシンボルの尤度を算出する尤度算出工程と、前記シンボル系列に含まれるシンボルと、送信側が使用する可能性のある複数の符号化方式のそれぞれに対応する所定の既知シンボル系列とを、前記尤度算出工程で算出した尤度の高い順に照合する照合工程と、前記照合工程での照合結果に応じて送信側が使用する符号化方式を判定する符号化方式判定工程と、を具備するようにした。
【００３５】
この方法によれば、この構成によれば、尤度（確からしさ）が高いシンボルから順に符号化方式の判定に使用するため、符号化方式の判定精度を向上させることができる。
【００３６】
【発明の実施の形態】
以下、本発明の実施の形態について図面を参照して詳細に説明する。
【００３７】
（実施の形態１）
本実施の形態にかかる無線受信装置は、シンボル対する判定の誤差が所定値以下のシンボルだけを使用して変調方式を判定するものである。
【００３８】
以下の説明では、上記“ＥＤＧＥ：  Ｂｌｉｎｄ  Ｄｅｔｅｃｔｉｏｎ  ｏｆ  ｍｏｄｕｌａｔｉｏｎ  ｒｅｕｓｉｎｇ  ＧＳＭ  ｔｒａｉｎｉｎｇ  ｓｅｑｕｅｎｃｅｓ  ｆｏｒ  ８−ＰＳＫ（ＥＴＳＩ  ＳＭＧ２  Ｗｏｒｋｉｎｇ  Ｓｅｓｓｉｏｎ  ｏｎ  ＥＤＧＥ）”（以下、従来方式という）を利用した場合について説明する。従来方式では、ＧＭＳＫと８ＰＳＫの２種類の変調方式を使用する。図１は従来方式でのＧＭＳＫを説明するための図であり、図２は従来方式での８ＰＳＫを説明するための図である。従来方式では、既知シンボル系列（ここでは、５シンボル）を見分けることにより変調方式を判定する。この既知シンボル系列は、送信側からデータの送信前にトレーニング・シーケンスとして送信される。図１および図２に示すように、たとえばここでは、既知シンボル系列が１１１０１の場合は変調方式がＧＭＳＫであり、（００１）（００１）（００１）（１１１）（００１）の場合は変調方式が８ＰＳＫである。
【００３９】
まず、図１を用いてＧＭＳＫについて説明する。変調方式がＧＭＳＫであるということを既知シンボル系列１１１０１によって示す場合、まずシンボル間の差（ｅｘｃｌｕｓｉｖｅ  ＯＲ）を求める。図１の場合、この差は００１１となる。そして、差０を＋π／２に、差１を−π／２に対応させて、シンボルのマッピング位置を順次位相回転させる。但し、１シンボル目は位相回転量をゼロとして既知シンボル（ここでは１）に対応する位置にマッピングする。よって、既知シンボル系列が１１１０１の場合、送信シンボルのマッピングは図１に示すようになる。送信側は、変調方式にＧＭＳＫを使用する場合、このようにしてマッピングした既知シンボル系列を受信側に送る。
【００４０】
次いで、図２を用いて８ＰＳＫについて説明する。ＥＤＧＥにおける変調方式では、８ＰＳＫ変調した後のデータを、シンボル毎に３ｉπ／８ずつ（ｉ：シンボル番号）回転させる。このため、既知シンボル系列（００１）（００１）（００１）（１１１）（００１）を示す場合、送信シンボルのマッピングは例えば図２に示すようになる。図２では、１シンボル目を＋２π／８、２シンボル目を＋５π／８、３シンボル目を＋π、４シンボル目を＋１１π／８、５シンボル目を＋１４π／８だけ、通常の８ＰＳＫのマッピング位置から位相回転されたマッピングとなっている。送信側は、変調方式に８ＰＳＫを使用する場合、このようにしてマッピングした既知シンボル系列を受信側に送る。
【００４１】
次いで、受信側での動作について説明する。図３および図４は、従来方式における受信側の動作を説明するための図である。図３および図４に示すように、受信側では、受信したシンボルの位相をＧＭＳＫに対応する位相回転量と８ＰＳＫに対応する位相回転量で逆回転させる。すなわち、５つの受信シンボルをそれぞれ、一方では０，−π／２，−π，−３π／２，−２πだけ逆回転させ、他方では−２π／８，−５π／８，−π，−１１π／８，−１４π／８だけ逆回転させる。その結果、送信側から図１に示すようにマッピングされた既知シンボル系列が送られた場合（すなわち、変調方式がＧＭＳＫである場合）は、図３に示すように、逆回転後に判定したシンボル系列が、変調方式がＧＭＳＫであるということを示す既知シンボル系列（図１）に一致し、８ＰＳＫであるということを示す既知シンボル系列（図２）に一致しない。これにより、変調方式がＧＭＳＫであるということがわかる。一方、送信側から図２に示すようにマッピングされた既知シンボル系列が送られた場合（すなわち、変調方式が８ＰＳＫである場合）は、図４に示すように、逆回転後に判定したシンボル系列が、変調方式がＧＭＳＫであるということを示す既知シンボル系列（図１）に一致せず、８ＰＳＫであるということを示す既知シンボル系列（図２）に一致する。これにより、変調方式が８ＰＳＫであるということがわかる。従来方式では、このようにして変調方式を判定する。
【００４２】
ここで、移動体通信においては、遅延波、ノイズおよびフェージング変動等から受ける影響により、伝送途中にシンボルの位相にずれが生じ、図１または図２に示したマッピング位置からずれた位置で各シンボルが受信されることがある。この位相がずれたシンボルを用いて変調方式を判定すると判定を誤ってしまう可能性が高くなる。そこで、本実施の形態では、シンボル対する判定の誤差が所定値以下のシンボルだけを使用して変調方式を判定するようにした。
【００４３】
図５は、本発明の実施の形態１にかかる無線受信装置の構成を示すブロック図である。図５に示す無線受信装置では、逆回転部１０１が、送信側が使用する可能性のある複数の変調方式のそれぞれに対応する位相回転量で送信側での回転方向と逆方向に受信シンボルを位相回転させ、シンボル判定部１０２が、トレーニング・シーケンス区間（既知信号区間）において、シンボル毎に既知シンボルを判定し、誤差算出部１０３が、判定の誤差を算出し、選択部１０４が、判定された既知シンボルの中から誤差が所定値以下のものを選択し、照合部１０５が、選択された既知シンボルと、送信側が使用する可能性のある複数の変調方式のそれぞれに対応する所定の既知シンボル系列とを照合し、変調方式判定部１０７が、照合結果に応じて送信側が使用する変調方式を判定する。より具体的には、以下のようになる。
【００４４】
逆回転部１０１は、上記のようにして、送信側が使用する変調方式（ＢＰＳＫまたは８ＰＳＫ）に対応する位相回転量で位相回転をかけた既知シンボルを、送信側が使用する可能性のある複数の変調方式（ＢＰＳＫおよび８ＰＳＫ）のそれぞれに対応する位相回転量で送信側での回転方向と逆方向に位相回転させる。具体的には、逆回転部１０１は、トレーニング・シーケンス区間に受信される５つの受信シンボルをそれぞれ、一方では０，−π／２，−π，−３π／２，−２πだけ逆回転させ、他方では−２π／８，−５π／８，−π，−１１π／８，−１４π／８だけ逆回転させる。逆回転後のシンボルはシンボル判定部１０２に送られる。
【００４５】
シンボル判定部１０２は、逆回転後の受信シンボル（逆回転後の既知シンボル）を判定する（シンボル判定）。シンボル判定部１０２は、上記図３および図４に示すようにして、逆回転後のマッピング位置から、ＧＭＳＫの場合と８ＰＳＫの場合とに対応させて各シンボルの値を判定する。よって、各シンボルは、ＧＭＳＫに対応したシンボル判定では０か１と判定され、８ＰＳＫに対応したシンボル判定では（０００）（００１）（０１０）（０１１）（１００）（１０１）（１１０）（１１１）のいずれかに判定される。判定されたシンボルは、選択部１０４に送られる。
【００４６】
誤差算出部１０３は、シンボル判定部１０２で行われた判定の誤差を算出する。具体的な算出方法は後述する。
【００４７】
選択部１０４は、シンボル判定部１０２によって判定された既知シンボルの中から、誤差算出部１０３によって算出された誤差が所定値以下のものだけを選択して照合部１０５に送る。
【００４８】
照合部１０５は、選択部１０４によって選択された既知シンボルと、既知シンボル系列記憶部１０５に記憶された既知シンボル系列とを照合する。既知シンボル系列記憶部１０６には、変調方式がＧＭＳＫであることを示す既知シンボル系列１１１０１と、変調方式が８ＰＳＫであることを示す既知シンボル系列（００１）（００１）（００１）（１１１）（００１）とが記憶されており、照合部１０５は、選択部１０４で選択された既知シンボルだけをこれら２つの既知シンボル系列と照合する。つまり、照合部１０５は、選択部１０４によって選択された既知シンボルと、送信側が使用する可能性のある複数の変調方式のそれぞれに対応する所定の既知シンボル系列とを照合する。そして、ＧＭＳＫおよび８ＰＳＫそれぞれの場合において既知シンボル系列と一致したシンボルの数が、照合結果として変調方式判定部１０７に送られる。
【００４９】
変調方式判定部１０７は、照合部１０５での照合結果に応じて送信側が使用する変調方式を判定する。具体的には、変調方式判定部１０７は、照合部１０５での照合において一致するシンボルの数が最も多い既知シンボル系列に対応する変調方式（ここでは、ＧＭＳＫか８ＰＳＫ）を送信側が使用する変調方式として判定する。このように、一致するシンボルの数に応じて変調方式を判定することにより、変調方式を正確に判定することができる。そして、変調方式判定部１０７は、判定結果を出力する。
【００５０】
次いで、無線受信装置の動作、および判定の誤差の算出方法について説明する。図６は、本発明の実施の形態１にかかる無線受信装置の動作を説明するためのフロー図である。
【００５１】
まず、ステップＳ１０１０では、逆回転部１０１が受信シンボルを逆回転させる。逆回転量は、図３および図４に示したとおりである。
【００５２】
ステップＳ１０２０では、シンボル判定部１０２が、ＧＭＳＫおよび８ＰＳＫそれぞれにおいてシンボル判定を行う。具体的には、受信既知シンボルの直交座標上（ＩＱ平面上）における位置から、送信側が送信した既知シンボルを判定する。
【００５３】
ステップ１０３０では、誤差算出部１０３が、シンボル判定での誤差を算出する。図７は、本発明の実施の形態１にかかる無線受信装置での誤差の算出方法を示す図である。逆回転後に判定されたシンボルのマッピング位置（実際のシンボル位置）は、図１または図２に示した本来あるべきマッピング位置（既知シンボルの期待位置）から伝送途中においてずれることがある（図７）。そこで、誤差算出部１０３は、直交座標上（ＩＱ平面上）において、受信既知シンボルの位置（図７での実際のシンボル位置）とシンボル判定部１０２によって判定された既知シンボルの位置（図７での期待位置）との距離を、シンボル判定での誤差として算出する。
【００５４】
ステップＳ１０４０では、選択部１０４が、誤差算出部１０３で算出された距離（誤差）と、図７に示すようにして予め設定された所定の閾値とを比較し、この距離（誤差）が所定の閾値以下のシンボルだけを選択して、照合部１０５に送る。
【００５５】
よって、ステップＳ１０５０では、判定の誤差が所定の閾値以下のシンボルだけが、照合部１０５によって、既知シンボル系列記憶部１０６に記憶されている既知シンボル系列と照合される。
【００５６】
ステップＳ１０１０〜ステップＳ１０５０の処理は、変調方式を示す既知シンボル系列に含まれるシンボル数（ここでは５シンボル）だけ繰り返される（ステップＳ１０６０）。
【００５７】
そして、ステップＳ１０７０では、変調方式判定部１０７が、照合部１０５での照合結果に応じて送信側が使用する変調方式を判定する。
【００５８】
このように、本実施の形態にかかる無線受信装置によれば、シンボル対する判定の誤差が所定値以下のシンボルだけを使用して変調方式を判定するため、変調方式の判定精度を向上させることができる。また、シンボルに対する判定の誤差として直交座標上における距離を算出するため、シンボルに対する判定の誤差を簡易な方法で正確に算出することができる。また、逆回転部１０１を有するため、位相回転量と既知シンボルのマッピングに基づいて変調方式を判定する判定方法、たとえば上記従来方式においても、変調方式の判定精度を向上させることができる。
【００５９】
（実施の形態２）
本実施の形態にかかる無線受信装置は、シンボルに対する判定の誤差が小さいシンボルから順に変調方式の判定に使用するものである。
【００６０】
図８は、本発明の実施の形態２にかかる無線受信装置の構成を示すブロック図である。ただし、実施の形態１の構成（図５）と同一の部には同一の符号を付し、説明を省略する。
【００６１】
並び替え部２０１は、シンボル判定部１０２によって判定された既知シンボルの系列を、誤差算出部１０３によって算出された誤差（直交座標上における距離）が小さい順に並び替えて、照合部１０５に送る。同様に、並び替え部２０２は、既知シンボル系列記憶部１０６に記憶された既知シンボル系列を、誤差算出部１０３によって算出された誤差（直交座標上における距離）が小さい順に並び替えて、照合部１０５に送る。これらの並び替えにより、照合部１０５では、シンボル判定部１０２によって判定された既知シンボルと、送信側が使用する可能性のある複数の変調方式のそれぞれに対応する所定の既知シンボル系列とが、誤差算出部１０３によって算出された誤差の小さい順（距離が短い順）に照合される。そして、ＧＭＳＫおよび８ＰＳＫそれぞれの場合において既知シンボル系列と一致したシンボルの数が、照合結果として変調方式判定部１０７に送られる。
【００６２】
次いで、無線受信装置の動作について説明する。図９は、本発明の実施の形態２にかかる無線受信装置の動作を説明するためのフロー図である。ただし、実施の形態１の動作（図６）と同一の動作となるステップには同一の符号を付し、説明を省略する。
【００６３】
まず、ステップＳ１０１０〜ステップＳ１０３０の処理が、変調方式を示す既知シンボル系列に含まれるシンボル数（ここでは５シンボル）だけ繰り返される（ステップＳ１０６０）。
【００６４】
ステップＳ２０１０では、誤差算出部１０３によって算出された誤差に基づいて、上記のようにして、並び替え部２０１および並び替え部２０２によってシンボルの並び替えが行われる。
【００６５】
そして、ステップＳ１０５０では、照合部１０５が、シンボル判定部１０２によって判定された既知シンボルと、既知シンボル系列記憶部１０６に記憶された所定の既知シンボル系列とを、誤差算出部１０３によって算出された誤差の小さい順（距離が短い順）に照合する。このように、判定の誤差が小さい順に照合するため、照合の信頼性ははじめに照合されるシンボルほど高くなる。そこで、既知シンボル系列に含まれるシンボル（ここでは５シンボル）すべてを照合するのではなく、既知シンボル系列に含まれるシンボル数未満（たとえば３シンボル）だけ照合して変調方式を判定しても、比較的高い精度で変調方式を判定することが可能となる。よって、照合部１０５が、所定のシンボル数（ただし、既知シンボル系列に含まれるシンボル数未満）だけ照合を行うようにして、変調方式の判定にかかる時間を短縮することも可能である。
【００６６】
このように、本実施の形態にかかる無線受信装置によれば、シンボルに対する判定の誤差が小さいシンボルから順に変調方式の判定に使用するため、変調方式の判定精度を向上させることができる。
【００６７】
（実施の形態３）
上記のように、符号化方式に関しては、使用される符号化方式に関する情報が移動局に送られるため、移動局は、その情報から符号化方式を判定することができる。ＥＤＧＥにおいては、図１０に示すように、１スロット内で２シンボルの情報が送られ、４スロット（すなわち、Ｓ１〜Ｓ８の８シンボル）分の情報を用いて符号化方式を判定することができる。ここで、Ｓ１〜Ｓ８のシンボルは、それぞれ尤度（確からしさ）が相違する。そこで、本実施の形態にかかる無線受信装置では、尤度（確からしさ）が高いシンボルから順に符号化方式の判定に使用するようにした。
【００６８】
図１１は、本発明の実施の形態３にかかる無線受信装置の構成を示すブロック図である。符号化方式を示すシンボル系列（図１０のＳ１〜Ｓ８）は、尤度算出部３０１および並び替え部３０２に入力される。尤度算出部３０１は、符号化方式を示すシンボル系列に含まれるシンボルＳ１〜Ｓ８の尤度を算出する。これらの尤度は、並び替え部３０２および並び替え部３０３に送られる。
【００６９】
これらの尤度は、スロット毎の尤度（スロット尤度）を算出してもよいし、シンボル毎の尤度（シンボル尤度）を算出してもよい。スロット尤度は、たとえば、等化トレーニング処理後の残留誤差や受信レベル等を用いて算出することができる。また、シンボル尤度は、たとえば、等化処理中に算出されるメトリック値等を用いて算出することができる。また、スロット尤度とシンボル尤度とを組み合わせて尤度を算出してもよい。たとえば、スロット尤度×シンボル尤度としてもよいし、スロット尤度＋シンボル尤度としてもよい。
【００７０】
ここで、本実施の形態と実施の形態１とを組み合わせて用いることも可能である。つまり、実施の形態１のようにして変調方式を判定し、さらに本実施の形態のようにして符号化方式を判定することも可能である。この場合、尤度算出部３０１が算出する尤度としては、以下のものが挙げられる。すなわち、図５に示す誤差算出部１０３によって算出される誤差を尤度とする。このように各シンボルに対する判定の誤差を用いて符号化方式を判定することにより、推定精度の高い符号化方式を判定することができる。または、図５に示す逆回転部１０１によって送信側での回転方向と逆方向に位相回転された受信シンボル（既知シンボル）に対して等化処理を施し、等化処理中に得られる値（例えば、メトリック値等）を尤度とする。なお、この等化処理は、変調方式の判定が終了した後に行われる。このように、従来から行われている等化処理の出力を利用することにより、尤度の算出に要する演算量を増加させずに符号化方式の判定精度を向上させることができる。
【００７１】
並び替え部３０２は、シンボルＳ１〜Ｓ８を尤度算出部３０１によって算出された尤度が高い順に並び替えて、照合部３０５に送る。同様に、並び替え部３０３は、既知シンボル系列記憶部３０４に記憶された既知シンボル系列を、尤度算出部３０１によって算出された尤度が高い順に並び替えて、照合部３０５に送る。これらの並び替えにより、照合部３０５では、シンボル系列に含まれるシンボル（Ｓ１〜Ｓ８）と、既知シンボル系列記憶部３０４に記憶され、送信側が使用する可能性のある複数の符号化方式のそれぞれに対応する所定の既知シンボル系列とが、尤度算出部３０１によって算出された尤度の高い順に照合される。
より具体的には、以下のようにして並べ替えおよび照合が行われる。
【００７２】
図１２は、本発明の実施の形態３に無線受信装置での並び替え方法および照合方法を示す図である。既知シンボル系列記憶部３０４には、送信側が使用する可能性のある複数の符号化方式（ここでは、符号化方式Ａ〜Ｃの３つとする）のそれぞれに対応する所定の既知シンボル系列（Ｓ１’〜Ｓ８’）が記憶されている。いま、尤度算出部３０１で算出された尤度が、Ｓ３，Ｓ４，Ｓ１，Ｓ２，Ｓ５，Ｓ７，Ｓ８，Ｓ６の順で高いものとする。この順番に合わせて、並び替え部３０２では、受信シンボルＳ１〜Ｓ８が並び替えられ、並び替え部３０３では、符号化方式Ａ〜Ｃのそれぞれに対応するシンボル系列Ｓ１’〜Ｓ８’が並び替えられる。よって、照合部３０５では、尤度の高い順に、受信シンボルＳ１〜Ｓ８と、符号化方式Ａ〜Ｃのそれぞれに対応するシンボル系列Ｓ１’〜Ｓ８’とが照合される。そして、符号化方式Ａ〜Ｃそれぞれの場合において既知シンボル系列と一致したシンボルの数が、照合結果として変調方式判定部１０７に送られる。
【００７３】
符号化方式判定部３０６は、照合部３０５での照合結果に応じて送信側が使用する符号化方式を判定する。具体的には、符号化方式判定部３０６は、照合部３０５での照合において一致するシンボルの数が最も多い既知シンボル系列に対応する符号化方式を送信側が使用する符号化方式として判定する。このように、一致するシンボルの数に応じて符号化方式を判定することにより、推定精度の高い符号化方式を判定することができる。そして、符号化方式判定部３０６は、判定結果を出力する。
【００７４】
次いで、無線受信装置の動作について説明する。図１３は、本発明の実施の形態３にかかる無線受信装置の動作を説明するためのフロー図である。
【００７５】
まず、ステップＳ３０１０では、尤度算出部３０１が、受信されたシンボルの尤度を算出する。この処理は、符号化方式を示すシンボル系列に含まれるシンボル数（ここではＳ１〜Ｓ８の８シンボル）だけ繰り返される（ステップＳ３０２０）。
【００７６】
ステップＳ３０３０では、尤度算出部３０１によって算出された尤度に基づいて、上記のようにして、並び替え部３０２および並び替え部３０３によってシンボルの並び替えが行われる。
【００７７】
ステップＳ３０４０では、照合部３０５が、受信されたシンボルＳ１〜Ｓ８と、符号化方式Ａ〜Ｃに対応させて既知シンボル系列記憶部３０４に記憶されている所定の既知シンボル系列Ｓ１’〜Ｓ８’とを、尤度算出部３０１によって算出された尤度の高い順に照合する。このように、尤度が高い順に照合するため、照合の信頼性ははじめに照合されるシンボルほど高くなる。そこで、シンボル系列に含まれるシンボル（ここでは８シンボル）すべてを照合するのではなく、シンボル系列に含まれるシンボル数未満（たとえば４シンボル）だけ照合して符号化方式を判定しても、比較的高い精度で符号化方式を判定することが可能となる。よって、照合部３０５が、所定のシンボル数（ただし、シンボル系列に含まれるシンボル数未満）だけ照合を行うようにして、符号化方式の判定にかかる時間を短縮することも可能である。
【００７８】
そして、ステップＳ３０５０では、符号化方式判定部３０６が、照合部３０５での照合結果に応じて送信側が使用する符号化方式を判定する。
【００７９】
このように、本実施の形態にかかる無線受信装置によれば、尤度（確からしさ）が高いシンボルから順に符号化方式の判定に使用するため、符号化方式の判定精度を向上させることができる。
【００８０】
なお、上記実施の形態１〜３を適宜組み合わせて実施することも可能である。たとえば、実施の形態１と実施の形態２とを組み合わせて、選択したシンボルを並べ替えた後に照合してもよい。このようにすることにより、変調方式の判定精度をさらに向上させることができる。
【００８１】
また、上記実施の形態１〜３にかかる無線受信装置は、移動体通信システム等で使用される通信端末装置に用いて好適である。実施の形態１〜３にかかる無線受信装置を通信端末装置に搭載することにより、上記同様の作用および効果を有する通信端末装置を提供することができ、通信端末装置の受信性能を向上させることができる。
【００８２】
【発明の効果】
以上説明したように、本発明によれば、変調方式の判定精度および符号化方式の判定精度を向上させることができる。
【図面の簡単な説明】
【図１】従来方式でのＧＭＳＫを説明するための図
【図２】従来方式での８ＰＳＫを説明するための図
【図３】従来方式における受信側の動作を説明するための図
【図４】従来方式における受信側の動作を説明するための図
【図５】本発明の実施の形態１にかかる無線受信装置の構成を示すブロック図
【図６】本発明の実施の形態１にかかる無線受信装置の動作を説明するためのフロー図
【図７】本発明の実施の形態１にかかる無線受信装置での誤差の算出方法を示す図
【図８】本発明の実施の形態２にかかる無線受信装置の構成を示すブロック図
【図９】本発明の実施の形態２にかかる無線受信装置の動作を説明するためのフロー図
【図１０】符号化方式の判定に使用される既知シンボルの送信パターンを示す図
【図１１】本発明の実施の形態３にかかる無線受信装置の構成を示すブロック図
【図１２】本発明の実施の形態３に無線受信装置での並び替え方法および照合方法を示す図
【図１３】本発明の実施の形態３にかかる無線受信装置の動作を説明するためのフロー図
【符号の説明】
１０１  逆回転部
１０２  シンボル判定部
１０３  誤差算出部
１０４  選択部
１０５，３０５  照合部
１０６，３０４  既知シンボル系列記憶部
１０７  変調方式判定部
２０１，２０２，３０２，３０３  並び替え部
３０１  尤度算出部
３０６  符号化方式判定部
【図１】
0003555943.tif 000002
【図２】
0003555943.tif 000003
【図３】
0003555943.tif 000004
【図４】
0003555943.tif 000005
【図５】
0003555943.tif 000006
【図６】
0003555943.tif 000007
【図７】
0003555943.tif 000008
【図８】
0003555943.tif 000009
【図９】
0003555943.tif 000010
【図１０】
0003555943.tif 000011
【図１１】
0003555943.tif 000012
【図１２】
0003555943.tif 000013
【図１３】
0003555943.tif 000014